(57)【要約】【課題】  片手でロールペーパーを切断することができるロールペーパーホルダーを提供する【解決手段】  蓋部と、該蓋部先端からほぼ水平に延設された延設部とより蓋体と、該蓋体に設けられロールペーパーを通すことのできる通し部と、前記延設部先端に設けられた防滑部材と、任意のロールペーパーを回動可能に支持する芯体と、前記蓋体及び前記支持体を回動可能に取り付けられるとともに壁に固定するホルダーとより構成される。【選択図】図１
2010051767.tif 000002
【特許請求の範囲】
【請求項１】
任意のロールペーパー上部を覆い任意位置でロールペーパーに接触する作用部を有する蓋部と、該蓋部先端からほぼ水平に延設された延設部とよりなる蓋体と、
該蓋体に設けられロールペーパーを通すことのできる通し部と、
前記延設部先端に設けられた防滑部材と、
任意のロールペーパーを回動可能に支持する芯体と、
前記蓋体及び前記芯体を回動可能に取り付けられるとともに壁に固定するホルダーとより構成され、
前記通し部にロールペーパーを通した状態で前記防滑部材下方にロールペーパー先端を垂下させた状態でロールペーパーを下方に引くことにより前記作用部がロールペーパーの回転を止めるように押しつけ、ロールペーパー切断後において少なくともロールペーパー先端が前記蓋体上部に露出するものであることを特徴とするロールペーパーホルダー。
【請求項２】
前記通し部が側面方向からロールペーパーを通すように形成されたものであることを特徴とする請求項１記載のロールペーパーホルダー。
【請求項３】
前記延設部先端から前下方に延設され下端に露出状態で配置される切断歯部を有する切断部材を設けたことを特徴とする請求項１又は２記載のロールペーパーホルダー。
【発明の詳細な説明】
【技術分野】
【０００１】  本発明は、片手でロールペーパーを切断することができるロールペーパーホルダーに関するものである。
【背景技術】
【０００２】  従来、蓋の先端に切断歯を有するものであった。
【発明の開示】
【発明が解決しようとする課題】
【０００３】  そのために、次のような問題があった。
ホルダーにセットされたロールペーパーはよく回転するため、ロールペーパーを必要量引き出したら片手で蓋の上を押さえて動きを止め、蓋先端の切断部を利用してもう一方の手で引き切断しなければいけなかった。
また、前回の使用時において蓋先端部で切断するために、ロールペーパーの先端は蓋の下に隠れるため、次の使用時において一度蓋を上げて、もう一方の手でロールペーパーの先端を引き出した後に使用しなければいけなかった。
あわせて、固く巻き締められたロールペーパーはその先端を引き剥がすのが困難であり、後ろ廻しにして巻きを緩めてつまみ、引き出さなければいけなかった。
本発明は以上の欠点を解決するものである。
【課題を解決するための手段】
【０００４】  任意のロールペーパー上部を覆い任意位置でロールペーパーに接触する作用部を有する蓋部と、該蓋部先端からほぼ水平に延設された延設部とより蓋体と、該蓋体に設けられロールペーパーを通すことのできる通し部と、前記延設部先端に設けられた防滑部材と、任意のロールペーパーを回動可能に支持する芯体と、前記蓋体及び前記芯体を回動可能に取り付けられるとともに壁に固定するホルダーとより構成される。【０００５】  前記通し部が側面方向からロールペーパーを通すように形成されたものであることを特徴とする。【０００６】  前記延設部先端から前下方に延設され下端に露出状態で配置される切断歯部を有する切断部材を設けたことを特徴とする。
【発明の効果】
【０００７】  本発明において、通し部を通して防滑部材先端にロールペーパー中間部をあてロールペーパー先端を下方に引くことにより、防滑部材が支点となり蓋体が下方に動き、蓋部に設けられた作用部がロールペーパーを押えつけ、使用量以上のロールペーパーが引き出されることがない。
この際、ミシン目を有するロールペーパーを利用した場合にはミシン目位置でロールペーパーが切断され、ロールペーパー先端が下方へ垂下した状態で残り、次回の使用が簡単になる。
ミシン目が無いロールペーパーを使用する場合においても、切断のための力が防滑部材より下方位置で作用するため切断端面が防滑部材より下方かもしくは防滑部材位置となる。防滑部材位置で切断された場合であっても通し部と防滑部材間で露出するように残るため次回以降の使用が簡単になる。【０００８】  前記通し部が側面方向からロールペーパーを通すように形成されることにより、片手でロールペーバー先端を持ちながら他方の手を使用することなく装着及び使用ができる。【０００９】  前記延設部先端から前下方に延設され下端に露出状態で配置される切断歯部を有する切断部材を設けることにより、下方へ引くことにより切断歯部によりロールペーパーが切断されるため、より確実にロールペーパー先端が露出状態を残すことができる。
【発明を実施するための最良の形態】
【００１０】  以下、本発明の第一実施の形態について図１から図３を用いて説明する。
図１は本発明の分解斜視図、図２は本発明の使用状態図、図３は本発明の使用説明図である。
本発明は、通し部５を有する蓋体１と、蓋体１の先端部に設けられた防滑部材４と、ホルダー１０と、芯体１４とより構成される。
図１に示すように、蓋体１は、板状の蓋部２と、蓋部２の先端から略水平方向へ延設された延設部３とより構成される。
蓋部２は、任意のロールペーパー１５の上部を覆うものであり、前方が湾曲状となっている。
蓋部２の下端部から略水平前方へ延設部３が延設されている。延設部３には上下に貫通し、任意のロールペーパー１５を通すことのできる通し部５が設けられている。
蓋部２の下端部裏面には、後方へ突出した横長の押さえ突起９が作用部として形成されている。
蓋部２の他端側の両側面には軸支するための軸８が設けられている。
延設部３の前面には横長の防滑部材４が設けられている。防滑部材４はシリコンや合成ゴムなどのペーパーに対して防滑性の高いものであればよい。図に示す事例においては、防滑部材４の下端に複数の切断歯形状となっている。ここで切断歯は鋭利である必要はなく、若干下方に突出したものであることが好ましい。
この蓋体１を回動可能に取り付けるためのホルダー１０について説明する。
ホルダー１０は壁に任意の着脱手段で固定される方形板状の背板１１の前面左右端に前方に伸びた側板１２がそれぞれ設けられている。各側板１２の対向する内面にはそれぞれ芯体１４を回動可能に取り付ける芯の軸受けが設けられている。さらに、前記蓋体１の軸８を軸支するための軸受け１３が各側板１２の壁取り付け側上部の対向する位置に設けられている。
また、任意のロールペーパー１５の中心に通し前記ホルダー１０に回動可能に取り付けられる芯体１４とより構成される。
本発明は以上の構成よりなる。【００１１】  以下、使用方法について説明する。
任意のロールペーパー１５に芯体１４を通し、ホルダー１０の側板１２間に取り付ける。
ロールペーパー１５の先端を引き出し、蓋体１の通し部５に下側から通し、図２に示すようにロールペーパー１５先端を防滑部材４前方の下方へ位置するように垂下状態にしてセッティングする。
ロールペーパー１５を使用するときは、図３ａに示すようにロールペーパー１５先端を引き出し所定分巻き取ってから片手でロールペーパー１５を下方に引く。ロールペーパー１５を下方へ引くことにより図３ｂに示すように延設部３前方上部及び防滑部材４をロールペーパー１５が押さえつけ蓋体１前方が下方へと押し込まれる。この際、防滑部材４の防滑性によりロールペーバー１５が滑ることなく効率的に押さえ込まれるとともに、蓋部２裏面に設けられた押さえ突起９がロールペーパー１５表面に食い込むように押し込まれロールペーパー１５の回動をとめるため、ロールペーパー１５の緊張力をより高めることができる。
更に下方へ力を加えることで、途中にミシン目が存在するロールペーパー１５であればそのミシン目位置で切断される。この際、ミシン目を防滑部材４より下位置にした状態で操作することにより、図３ｃに示すようにつまむことのできるロールペーパー１５ａの露出端を残した状態でロールペーパー１５ｂが切り離され、次回以降の使用において簡単に取り出すことができる。
また、ミシン目が無い場合、防滑部材４先端面で切断圧が高まる。これにより、通し部５と防滑部材４との距離の兼ね合いから露出したロールペーパー１５ａを残す状態でロールペーパー１５を切断され、これをつまむことで次回以降一々蓋を持ち上げることなく操作が可能となる。【００１２】  以下、本発明の第二実施の形態について図４から図６を用いて説明する。
図４は本発明の第二実施例の斜視図、図５は本発明の第二実施例の使用状態図、図６は本発明の第二実施例の使用説明図である。
本発明において通し部５は、延設部３の右側面から挿入可能となるように右側が開放された形状となっている。
さらに、延設部３は中間部で前下方へ傾斜するように屈曲した形状となっている。
そして、延設部３先端から下方へ切断部材６が垂下状に延設されている。切断部材６の先端にはロールペーパー１５切断を助けるためにギザギザ形状の切断歯部７が形成されている。
延設部３と切断部材６の連結部には前方に突出するように防滑部材４が設けられている。
他の構成は前記実施形態と同様である。
本発明は以上の構成よりなる。【００１３】  以下、本実施形態の使用方法について説明する。
本発明においてロールペーパー１５を通し部５に通す場合は、ロールペーパー１５先端をつまみ引き下げた上で、通し部５の右側面開放部からロールペーパー１５中間を通し、十分な長さが露出するように前上方に引き出す。そのうえで、図５ａに示すようにロールペーパー１５先端が切断部材６下端よりも下方へ位置するように垂れ下げセッティングする。この際、ロールペーパー先端は蓋体と分離した状態となり、以降一々剥がす必要はない。
使用する場合は、必要分巻取りロールペーパー１５を下方へ強く引き下げる。これにより、前記実施形態と同様の作用を得ることができる。
本実施形態の発明においては、更に切断部材６下端の切断歯部７を利用して切断することも可能である。
この際は、ロールペーバー１５を切断歯部７よりも下の位置で壁側に押し込む。これにより図６ｃに示すように蓋部２とロールペーパー１５の接触辺、通し部５とロールペーパー１５の接触辺、防滑部材４とロールペーパー１５の接触面、切断歯部７とロールペーパー１５の接触部においてロールペーパー１５は緊張状態となり、切断圧力は切断歯部７接触部においてもっとも高くなるとともに、切断歯部７の形状により片手で簡単に切断される。
切断後はロールペーパー１５ａの露出部が残される。この際、防滑部材４が切断部材６より曲面に位置するためロールペーパー１５下端は切断歯部７から離れた垂下状態となり、よりつまみやすい状態となる。【００１４】  以下、本発明の第三の実施形態について図７及び図８を用いて説明する。
図７は本発明の第三実施例の使用状態図、図８は本発明の第三実施例の使用説明図である。
本発明における基本構成は前記第一実施形態と同様であるが、通し部５が第二実施形態と同様に右側面が開放された形状であるとともに、蓋部２中間部に設けられたものとなっている。
これを使用するときは、通し部５にロールペーパー１５を通し前記各実施例と同様にロールペーパー１５先端が下方へ露出するようにセッティングする。使用するときはこの状態からロールペーパー１５を巻き取るが、蓋部２がその自重により下がり、図８に示すように通し部５の開放端は側板１２により塞がれる。これにより、側板１２がガイドの役割を果たし、ロールペーパー１５が通し部５からずれだすことがない。
切断後、ロールペーパー１５の露出端が防滑部材４とほぼ同位置で切断された場合であっても、蓋部２と延設部３の連結部が凹んでいるためにロールペーパー１５と蓋体１との間に空間が形成され、ここに指を通すことで簡単に取り出すことができる。
また、本実施形態においては防滑部材４の応用事例を含むものである。防滑部材４の下端には切断歯が形成され、上部は突出した状態となっている。これにより、前記作用、効果を効率的に実施することができる。
【図面の簡単な説明】
【００１５】
【図１】  本発明の分解斜視図
【図２】  本発明の使用状態図
【図３】  本発明の使用説明図
【図４】  本発明の第二実施例の斜視図
【図５】  本発明の第二実施例の使用状態図
【図６】  本発明の第二実施例の使用説明図
【図７】  本発明の第三実施例の使用状態図
【図８】  本発明の第三実施例の使用説明図
【符号の説明】
【００１６】１  蓋体、
２  蓋部、
３  延設部、
４  防滑部材、
５  通し部、
６  切断部材、
７  切断歯部、
８  軸、
９  押さえ突起、
１０  ホルダー、
１１  背板、
１２  側板、
１３  軸受け、
１４  芯体、
１５  ロールペーパー
【図１】
2010051767.tif 000003
【図２】
2010051767.tif 000004
【図３】
2010051767.tif 000005
【図４】
2010051767.tif 000006
【図５】
2010051767.tif 000007
【図６】
2010051767.tif 000008
【図７】
2010051767.tif 000009
【図８】
2010051767.tif 000010